(57)【要約】【課題】回転駆動している記録材送り出し部材に対するユーザの接触を抑制可能な記録材処理装置を提供する。【解決手段】用紙積載部９７上の用紙Ｐ、開口部８５９、および排出ロール８５３を覆う覆い部材９００が設けられている。覆い部材９００は、固定部材９５０と回転部材９６０の２つの部材により構成されている。回転部材９６０は、用紙Ｐの搬送方向において固定部材９５０よりも下流側に設けられ、固定部材９５０に対する回転が可能に設けられている。また覆い部材９００には、閉じられた状態にある回転部材９６０の回転を規制するロック機構９８０が設けられている。【選択図】図２
2012121716.tif 000002
【特許請求の範囲】
【請求項１】
開口部を有した装置本体と、
前記装置本体の内部に設けられ、記録材に対し予め定められた処理を施す記録材処理部と、
前記装置本体の外部に設けられるとともに前記開口部よりも記録材の搬送方向下流側に設けられ、前記記録材処理部による処理が行われた記録材が積載される積載部と、
前記開口部に設けられ、回転駆動し前記記録材処理部による処理が行われた前記記録材を前記積載部に送り出す送り出し部材と、
前記送りだし部材から前記積載部にかけて設けられ、当該送り出し部材および当該積載部を覆うとともに、少なくとも一部の開閉が可能に設けられた覆い部材と、
前記覆い部材のうちの開放が可能となる部分の移動を規制する規制機構と、
回転駆動を行っている前記送り出し部材の停止処理を行うとともに、当該停止処理を行った後に、前記規制機構による前記規制を解除する制御部と、
を備える記録材処理装置。
【請求項２】
前記制御部は、前記停止処理を行った前記送り出し部材の回転駆動が停止した後に、前記規制機構による前記規制を解除することを特徴とする請求項１記載の記録材処理装置。
【請求項３】
前記規制機構は、前記送り出し部材の前記回転駆動が開始される前に、前記開放が可能となる前記部分の移動を規制することを特徴とする請求項１又は２に記載の記録材処理装置。
【請求項４】
前記開放が可能となる前記部分が開放されているか否かを検知する検知部を更に備えることを特徴とする請求項１乃至３の何れかに記載の記録材処理装置。
【請求項５】
前記覆い部材は、前記積載部に積載される前記記録材の全体を覆うことができるように設けられていることを特徴とする請求項１乃至４の何れかに記載の記録材処理装置。
【請求項６】
前記覆い部材は、透明若しくは半透明で形成されていることを特徴とする請求項１乃至５の何れかに記載の記録材処理装置。
【請求項７】
前記制御部による前記規制の前記解除がなされるまでの時間を表示する表示部を更に備えていることを特徴とする請求項１乃至６の何れかに記載の記録材処理装置。
【請求項８】
前記記録材処理部は、前記記録材に対して画像を形成する処理を行うことを特徴とする請求項１乃至７の何れかに記載の記録材処理装置。
【請求項９】
開口部を有した装置本体と、
前記装置本体の内部に設けられ、記録材に対し予め定められた処理を施す記録材処理部と、
前記装置本体の外部に設けられるとともに前記開口部よりも記録材の搬送方向下流側に設けられ、前記記録材処理部による処理が行われた記録材が積載される積載部と、
前記開口部に設けられ、回転駆動し前記記録材処理部による処理が行われた前記記録材を前記積載部に送り出す送り出し部材と、
前記送りだし部材から前記積載部にかけて設けられ、当該送り出し部材および当該積載部を覆うとともに、少なくとも一部の開閉が可能に設けられた覆い部材と、
前記覆い部材のうちの開放が可能となる部分の開操作がなされた場合に、回転駆動を行っている前記送り出し部材の当該回転駆動を停止させる制御部と、
を備える記録材処理装置。
【発明の詳細な説明】
【技術分野】
【０００１】
本発明は、記録材処理装置に関する。
【背景技術】
【０００２】
給紙又は排紙をするための開口部と、開口部に設けられ給紙又は排紙をするための給紙手段又は排紙手段と、開口部に侵入した異物を検知する異物検知手段と、異物検知手段が異物を検知した時に画像形成処理を停止する異常停止手段と、を有する画像形成装置が提案されている（例えば、特許文献１参照）。
【先行技術文献】
【特許文献】
【０００３】
【特許文献１】特開２００５−７５５６５号公報
【発明の概要】
【発明が解決しようとする課題】
【０００４】
本発明の目的は、回転駆動している記録材送り出し部材に対するユーザの接触を抑制可能な記録材処理装置を提供することにある。
【課題を解決するための手段】
【０００５】
請求項１に記載の発明は、開口部を有した装置本体と、前記装置本体の内部に設けられ、記録材に対し予め定められた処理を施す記録材処理部と、前記装置本体の外部に設けられるとともに前記開口部よりも記録材の搬送方向下流側に設けられ、前記記録材処理部による処理が行われた記録材が積載される積載部と、前記開口部に設けられ、回転駆動し前記記録材処理部による処理が行われた前記記録材を前記積載部に送り出す送り出し部材と、前記送りだし部材から前記積載部にかけて設けられ、当該送り出し部材および当該積載部を覆うとともに、少なくとも一部の開閉が可能に設けられた覆い部材と、前記覆い部材のうちの開放が可能となる部分の移動を規制する規制機構と、回転駆動を行っている前記送り出し部材の停止処理を行うとともに、当該停止処理を行った後に、前記規制機構による前記規制を解除する制御部と、を備える記録材処理装置である。
【０００６】
請求項２に記載の発明は、前記制御部は、前記停止処理を行った前記送り出し部材の回転駆動が停止した後に、前記規制機構による前記規制を解除することを特徴とする請求項１記載の記録材処理装置である。
請求項３に記載の発明は、前記規制機構は、前記送り出し部材の前記回転駆動が開始される前に、前記開放が可能となる前記部分の移動を規制することを特徴とする請求項１又は２に記載の記録材処理装置である。
請求項４に記載の発明は、前記開放が可能となる前記部分が開放されているか否かを検知する検知部を更に備えることを特徴とする請求項１乃至３の何れかに記載の記録材処理装置である。
請求項５に記載の発明は、前記覆い部材は、前記積載部に積載される前記記録材の全体を覆うことができるように設けられていることを特徴とする請求項１乃至４の何れかに記載の記録材処理装置である。
請求項６に記載の発明は、前記覆い部材は、透明若しくは半透明で形成されていることを特徴とする請求項１乃至５の何れかに記載の記録材処理装置である。
請求項７に記載の発明は、前記制御部による前記規制の前記解除がなされるまでの時間を表示する表示部を更に備えていることを特徴とする請求項１乃至６の何れかに記載の記録材処理装置である。
請求項８に記載の発明は、前記記録材処理部は、前記記録材に対して画像を形成する処理を行うことを特徴とする請求項１乃至７の何れかに記載の記録材処理装置である。
【０００７】
請求項９に記載の発明は、開口部を有した装置本体と、前記装置本体の内部に設けられ、記録材に対し予め定められた処理を施す記録材処理部と、前記装置本体の外部に設けられるとともに前記開口部よりも記録材の搬送方向下流側に設けられ、前記記録材処理部による処理が行われた記録材が積載される積載部と、前記開口部に設けられ、回転駆動し前記記録材処理部による処理が行われた前記記録材を前記積載部に送り出す送り出し部材と、前記送りだし部材から前記積載部にかけて設けられ、当該送り出し部材および当該積載部を覆うとともに、少なくとも一部の開閉が可能に設けられた覆い部材と、前記覆い部材のうちの開放が可能となる部分の開操作がなされた場合に、回転駆動を行っている前記送り出し部材の当該回転駆動を停止させる制御部と、を備える記録材処理装置である。
【発明の効果】
【０００８】
請求項１の発明によれば、回転駆動している記録材送り出し部材に対するユーザの接触を抑制可能な記録材処理装置を提供することができる。
請求項２の発明によれば、本構成を有していない場合に比較して、回転駆動している記録材送り出し部材に対するユーザの接触をより確実に抑制することができる。
請求項３の発明によれば、本構成を有していない場合に比較して、回転駆動している記録材送り出し部材に対するユーザの接触をより確実に抑制することができる。
請求項４の発明によれば、開放が可能となる部分が開放されている状態にて記録材送り出し部材の回転駆動がなされることを抑制可能となる。
請求項５の発明によれば、記録材の一部が覆い部材により覆われる場合に比べ、積載部における記録材の積載乱れを抑制可能となる。
請求項６の発明によれば、覆い部材の内部の状態を覆い部材の外部から視認可能となる。
請求項７の発明によれば、本構成を有していない場合に比較して、ユーザの利便性を高めることが可能となる。
請求項８の発明によれば、画像が形成された記録材を送り出す記録材送り出し部材に対するユーザの接触を抑制可能となる。
請求項９の発明によれば、回転駆動している記録材送り出し部材に対するユーザの接触を抑制可能な記録材処理装置を提供することができる。
【図面の簡単な説明】
【０００９】
【図１】本実施の形態が適用された画像形成装置の概略構成を示した図である。
【図２】装置本体のフロント側から覆い部材を眺めた場合の図である。
【図３】図２の矢印ＩＩＩ方向から覆い部材を眺めた場合の図である。
【図４】排出ロールの回転等に関するタイミングチャートを示した図である。
【発明を実施するための形態】
【００１０】
以下、添付図面を参照して、本発明を実施するための形態について説明する。
図１は、本実施の形態が適用された画像形成装置１の概略構成を示した図である。記録材処理装置の一例としてのこの画像形成装置１は、用紙Ｐに画像を形成する装置本体７０、スキャンによって画像を読み取るスキャナ装置２００、スキャナ装置２００に対して原稿を搬送する原稿送り装置１００を有している。
【００１１】
装置本体７０には、用紙Ｐにトナー像を形成する画像形成部１０（記録材処理部の一例）、画像形成部１０により用紙Ｐ上に形成されたトナー像を加熱および加圧しこのトナー像を用紙Ｐに定着する定着部２０、および画像形成部１０に用紙Ｐを供給する用紙供給部３０が設けられている。
【００１２】
画像形成部１０は、感光体ドラム１１、帯電装置１２、露光装置１３、現像装置１４、転写装置１５、およびクリーニング装置１６を備える。これらのうち、感光体ドラム１１は、その外周面に感光層を備えており、図中矢印方向に回転する。帯電装置１２は、回転する感光体ドラム１１を予め定められた電位に帯電する。露光装置１３は、帯電装置１２によって予め定められた電位に帯電した感光体ドラム１１を選択的に露光して静電潜像を形成する。
【００１３】
また現像装置１４は、感光体ドラム１１上に形成された静電潜像をトナーで現像してトナー像を形成する。転写装置１５は、感光体ドラム１１上に形成されたトナー像を、用紙供給部３０によって供給される用紙Ｐに静電転写する。クリーニング装置１６は、転写後に感光体ドラム１１上に残留するトナー等を除去する。なお本明細書では、以下、感光体ドラム１１と転写装置１５との対向部であって、転写装置１５を用いて感光体ドラム１１上のトナー像を用紙Ｐに転写する位置を転写位置Ｔｐと呼ぶ。
【００１４】
一方、用紙供給部３０は、第１給紙部３１、第２給紙部３２、および第３給紙部３３を備えている。そして本実施形態では、第３給紙部３３が装置本体７０の最下部に配置され、第２給紙部３２が第３給紙部３３の上部に配置され、第１給紙部３１が第２給紙部３２の上部に配置されている。ここで第１給紙部３１〜第３給紙部３３は同様に構成されている。第１給紙部３１を一例に説明すると、この第１給紙部３１は、用紙収容部４１、引き込みロール４３、および捌き機構４４を備えている。
【００１５】
用紙収容部４１は、上部に開口を有するとともにその内部に用紙Ｐを収容する。また用紙収容部４１は、画像形成装置１に対して前面側（図中手前側）に引き出し可能に設けられている。これにより、用紙切れとなった場合などに、画像形成装置１から用紙収容部４１を引き出し、用紙Ｐの補給を行うことが可能となっている。引き込みロール４３は、用紙収容部４１に収容されている用紙Ｐのうちの最上位の用紙Ｐに接触し、この最上位の用紙Ｐを捌き機構４４に向けて送り出す。捌き機構４４は、引き込みロール４３よりも用紙搬送方向下流側に設けられる。この捌き機構４４は、例えば回転可能に配設されるフィードロールと回転が制限されたリタードロールとによって構成され、引き込みロール４３により送り出された用紙Ｐを一枚ずつに捌き、捌かれた一枚の用紙Ｐを後述する第１搬送ロール４５に向けて送り出す。
【００１６】
また、用紙供給部３０は、第１搬送ロール４５、第２搬送ロール５５、および第３搬送ロール６５を備えている。第１搬送ロール４５は、一対のロール状部材から構成され、第１給紙部３１から送られてくる用紙Ｐを下流側へとさらに搬送する。また第２搬送ロール５５は、一対のロール状部材から構成され、第２給紙部３２から送られてくる用紙Ｐを下流側へとさらに搬送する。また第３搬送ロール６５は、一対のロール状部材から構成され、第３給紙部３３から送られてくる用紙Ｐを下流側へとさらに搬送する。なお、第１搬送ロール４５は、より下段の第２給紙部３２および第３給紙部３３から供給された用紙Ｐを搬送する機能も有している。また第２搬送ロール５５は、第３給紙部３３から供給された用紙Ｐを搬送する機能も有している。
【００１７】
また、第１搬送ロール４５の下流側に設けられた用紙経路８１１には、プレレジロール８５１およびレジストレーションロール(レジロール)８５２が取り付けられている。ここで、プレレジロール８５１は、第１搬送ロール４５を介して搬送されてきた用紙Ｐをさらに下流側に向けて搬送するとともに、レジロール８５２と協同してループ形成を行う。また、レジロール８５２は、一旦停止することにより用紙Ｐの搬送を一時的に止め、タイミングを合わせて回転を再開することにより、転写位置Ｔｐに対してレジストレーション調整を施しながら用紙Ｐを供給する。
【００１８】
また装置本体７０には、両面モード選択時に、定着部２０で片面定着済みの用紙Ｐを反転させて再度転写位置Ｔｐに送り込むための反転搬送機構が設けられている。この反転搬送機構は、定着部２０の用紙搬送方向下流側に設けられた排出経路８１２から下方に分岐する分岐経路８１３と、この分岐経路８１３からさらに下方に向かって延びる反転経路８１４とを有している。また、反転搬送機構は、反転経路８１４上の用紙Ｐを用紙経路８１１へ戻す戻し経路８１５を有している。この戻し経路８１５は、反転経路８１４に接続して設けられるとともに、プレレジロール８５１の上流側にて、用紙経路８１１に合流する。
【００１９】
また本実施形態では、装置本体７０の外部に設けられるとともに装置本体７０の側面から突出するように設けられ、排出経路８１２により搬送されてきた用紙Ｐが積載される用紙積載部９７が設けられている。また装置本体７０には、装置本体７０の外部に用紙Ｐを排出するための開口部８５９が設けられている。さらに、この開口部８５９に取り付けられるとともに回転駆動し、排出経路８１２により搬送されてきた用紙Ｐを用紙積載部９７へ排出（送り出す）する排出ロール８５３（送り出し部材の一例）が設けられている。また本実施形態では、排出ロール８５３が設けられている箇所から用紙積載部９７が設けられている箇所にかけて設けられ、用紙積載部９７上の用紙Ｐ、開口部８５９、および排出ロール８５３を覆う覆い部材９００が設けられている。さらに本実施形態では、用紙Ｐの搬送を行う搬送ロール８５４が、分岐経路８１３、反転経路８１４、および戻し経路８１５に設けられている。
【００２０】
また装置本体７０には、ＰＣ（不図示）やスキャナ装置２００等からの画像データを受信する受信部４００が設けられている。また、画像形成部１０、定着部２０、用紙供給部３０、後述するロック機構９８０などの制御を行う制御部５００が設けられている。また装置本体７０には、受信部４００にて受信された画像データに画像処理を施した後に露光装置１３にこの画像データを出力する画像処理部６００が設けられている。なお露光装置１３は、画像処理部６００から入力されてくるデジタル画像信号に基づいて、感光体ドラム１１に対する露光動作すなわち静電潜像の書き込みを行う。さらに、この装置本体７０には、例えば表示パネルなどにより構成され、ユーザからの指示を受け付けるとともにユーザに対してメッセージ等を表示するユーザインタフェース(ＵＩ)７００が設けられている。
【００２１】
ここで覆い部材９００について詳細に説明する。
図２は、装置本体７０のフロント側（手前側）から覆い部材９００を眺めた場合の図である。覆い部材９００は、直方体状に形成されるとともに、下方（用紙積載部９７と対向する側）が開放され、また、排出ロール８５３が設けられている側が開放された状態となっている。また、覆い部材９００は透明又は半透明に形成されており、用紙積載部９７の状態が覆い部材９００の外部から視認できるようになっている。さらに覆い部材９００は、用紙積載部９７と対峙する箇所に上面９１０を有し、排出ロール８５３が設けられている側とは反対側に端面９２０を有している。また覆い部材９００は、装置本体７０のフロント側およびリア側の２箇所に、側面９３０（図２ではフロント側の側面９３０のみを表示）を有している。
【００２２】
覆い部材９００についてさらに詳細に説明すると、この覆い部材９００は、固定部材９５０と回転部材９６０の２つの部材により構成されている。ここで、固定部材９５０は、装置本体７０に固定されている。また固定部材９５０は、用紙Ｐのうちの装置本体７０側の部位、排出ロール８５３、および開口部８５９を覆っている。また固定部材９５０には、用紙Ｐの搬送方向における下流側の端部に、搬送されてきた用紙Ｐを通過させるための開口９５１が形成されている。
【００２３】
一方、回転部材９６０は、用紙Ｐの搬送方向において固定部材９５０よりも下流側に設けられ、固定部材９５０に対する回転（揺動）が可能に設けられている。この回転部材９６０は、用紙積載部９７に載っている用紙Ｐの先端部側を覆うことができるように設けられている。なお、固定部材９５０と回転部材９６０との間には、回転部材９６０が回転可能な状態で固定部材９５０と回転部材９６０とを連結するヒンジ９７０が設けられている。
【００２４】
また本実施形態では、開かれた状態にある回転部材９６０が閉じられた際に、回転部材９６０が突き当たり、回転部材９６０が閉じられたことを検知する検知スイッチ９６１が設けられている。さらに、閉じられた状態にある回転部材９６０の回転（回転部材９６０の上方への移動）を規制するロック機構９８０（規制機構の一例）、用紙積載部９７への用紙Ｐの排出が終了するまでの時間を表示する表示パネル９９０（表示部の一例）が設けられている。なお検知スイッチ９６１および制御部５００は、回転部材９６０が開放されているか否かを検知する検知部として捉えることができる。
【００２５】
ここでロック機構９８０について詳細に説明する。
図３は、図２の矢印ＩＩＩ方向から覆い部材９００を眺めた場合の図である。本実施形態では、覆い部材９００の内側に（覆い部材９００の上面９１０（図２参照）よりも用紙積載部９７側に）、ロック機構９８０が設けられている。ここで、このロック機構９８０には、回転部材９６０の上面９６２に取り付けられるともに固定部材９５０側に向かって延び、且つ、固定部材９５０の内部に突出する突出部材９６３が設けられている。
【００２６】
ここで突出部材９６３には、用紙Ｐの搬送方向に直交する方向（交差する方向）に沿うように設けられた貫通孔９６３Ａが形成されている。またロック機構９８０には、用紙Ｐの搬送方向に直交する方向に進退可能に設けられた進退部材９６４と、この進退部材９６４を進退させる駆動機構９６５が設けられている。ここでこの進退部材９６４および駆動機構９６５は、固定部材９５０の上面９５２に取り付けられている。なお本実施形態では、駆動機構９６５は、棒状に形成された進退部材９６４の側面に形成されたギア（不図示）に噛み合うギアを外周面に有した円盤状の回転部材９６６、この回転部材９６６を回転させるモータＭにより構成されている。
【００２７】
ここで、ロック機構９８０によるロックが行われる際には、モータＭが一方向に駆動され、進退部材９６４が突出部材９６３に向かって進出するとともに、進退部材９６４が突出部材９６３に形成された貫通孔９６３Ａに進入する。これにより、突出部材９６３の移動が進退部材９６４により規制されるようになり、回転部材９６０の回転（回転部材９６０の開放）が規制されるようになる。
【００２８】
なおロック機構９８０によるロックを解除する場合には、モータＭを上記一方向とは逆方向に駆動し、進退部材９６４を突出部材９６３から離れる方向に移動させる。これにより、突出部材９６３の貫通孔９６３Ａから外れた箇所に進退部材９６４が位置するようになり、回転部材９６０の回転が可能な状態となる。なお本実施形態では、突出部材９６３を回転部材９６０側に設け、進退部材９６４および駆動機構９６５を固定部材９５０側に設けたが、突出部材９６３を固定部材９５０側に設け、進退部材９６４および駆動機構９６５を回転部材９６０側に設けることもできる。なお、突出部材９６３を回転部材９６０側に設け、進退部材９６４および駆動機構９６５を固定部材９５０側に設けた方が、ユーザが回転部材９６０を操作する際の操作荷重が小さくなる。
【００２９】
なお本実施形態では、図３に示すように、覆い部材９００の幅方向（用紙Ｐの搬送方向と直交する方向）における一端部側および他端部側のうちの、一端部側に上記突出部材９６３等が設けられ、他端部側に上記にて説明した検知スイッチ９６１が設けられている。ここで検知スイッチ９６１は、回転部材９６０に設けられた側壁９６７の端面９６７Ａ（図２も参照）が突き当たるように設けられており、本実施形態では、この端面９６７Ａが検知スイッチ９６１を押圧することで、回転部材９６０が閉じられたことが検知されるようになっている。
【００３０】
ところで本実施形態では、固定部材９５０に形成された開口９５１（図２参照）を通じ、排出ロール８５３へのユーザのアクセス（接触）が可能となっている。付言すると、回転駆動している部材に対するユーザのアクセスが可能となっている。そこで本実施形態では、ロック機構９８０を用い、排出ロール８５３の回転が停止するまで、回転部材９６０の開操作ができないようにしている。そして、排出ロール８５３の回転が停止した後に、ロック機構９８０によるロックを解除し、回転部材９６０の開操作ができるようにしている。
【００３１】
より詳細に説明すると、図４（排出ロール８５３の回転等に関するタイミングチャートを示した図）に示すように、排出ロール８５３の回転を停止させる停止処理を行ってから予め定められた時間経過後に、ロック機構９８０によるロックを解除（オフ）するようにしている。この場合、回転駆動している排出ロール８５３へのユーザのアクセスが避けられるようになる。
【００３２】
なお本実施形態では、排出ロール８５３によって用紙積載部９７へ用紙Ｐが順次排出される際、用紙積載部９７への用紙Ｐの排出が終了するまでの時間が表示パネル９９０（図２参照）に表示されるようになっている。より詳細に説明すると、本実施形態では、ロック機構９８０によるロックが解除されるまでの時間（用紙Ｐの取り出しが可能になるまでの時間）が、表示パネル９９０に表示されるようになっている。このような表示を行う場合、用紙Ｐの取り出しが可能となるまでユーザは他の作業等を行うことが可能となり、利便性が高まるようになる。
【００３３】
なお本実施形態では、覆い部材９００によって、用紙積載部９７上の用紙Ｐの全体が覆われるようになっている。そして本実施形態では、用紙積載部９７上への用紙Ｐの排出が終了した後に、上記のとおりロック機構９８０によるロックが解除され、用紙積載部９７上への用紙Ｐへのアクセスが可能となる。付言すると、用紙積載部９７上への用紙Ｐの排出が終了した後に、用紙Ｐの取り出しができるようになっている。
【００３４】
ここでこのように、用紙積載部９７上への用紙Ｐの排出が終了するまで、用紙積載部９７上の用紙Ｐの全体が覆われる場合、用紙積載部９７における用紙Ｐの積載乱れが抑制されるようになる。より具体的に説明すると、用紙積載部９７へ用紙Ｐが排出されている最中に用紙積載部９７上の用紙Ｐがユーザにより触られることが抑制され、用紙積載部９７における用紙Ｐの積載乱れが抑制されるようになる。なお本実施形態では、このように、覆い部材９００によって、用紙積載部９７上の用紙Ｐの全体が覆われるようになっているが、回転部材９６０の左端部（図２参照、用紙Ｐの搬送方向における下流側に位置する端部）に開口を形成し、用紙積載部９７に用紙Ｐが排出されている最中でも用紙Ｐの取り出しが可能な構成とすることもできる。
【００３５】
ここで、本実施形態では、用紙積載部９７への用紙Ｐの排出を行う際に、検知スイッチ９６１からの出力に基づき、制御部５００にて、回転部材９６０が閉じられているかの判断がなされる。そして回転部材９６０が閉じられている場合には、まず、ロック機構９８０によるロックが行われる。そしてこのロックが行われた後に、排出ロール８５３の回転駆動が行われ用紙Ｐの用紙積載部９７への排出（画像形成動作）が行われる。一方で、回転部材９６０が閉じられていない場合には、用紙Ｐの用紙積載部９７への排出（画像形成動作）は行われない。なおこの場合、ＵＩ７００に、「回転部材９６０を閉じてください」などの回転部材９６０の閉操作を促すメッセージを表示することができる。
【００３６】
なお上記では、ロック機構９８０を用いて、回転駆動を行っている排出ロール８５３へのユーザのアクセスが起こらないようにしたが、ロック機構９８０を用いないでも、排出ロール８５３へのアクセスが起こらないようにすることができる。付言するとロック機構９８０が設けられていない場合であっても、回転駆動している排出ロール８５３へのアクセスが起こらないようにすることができる。より具体的に説明すると、ユーザによる回転部材９６０の開操作が検知スイッチ９６１により検知された場合に排出ロール８５３の回転を停止することで、回転駆動している排出ロール８５３へのアクセスが起こらないようにすることができる。
【００３７】
なお上記のように回転部材９６０の開操作に伴い排出ロール８５３の回転を停止させる場合、惰性によって排出ロール８５３の回転が継続され、回転している排出ロール８５３へのユーザのアクセスが起こり得る。より具体的には、固定部材９５０に形成された開口９５１（図２参照）から固定部材９５０の内部にユーザの手が挿入され、回転している排出ロール８５３へのユーザのアクセスが起こり得る。
【００３８】
このため、本実施形態では、固定部材９５０に形成された開口９５１を、ユーザの手首が通過することができない大きさで形成している。また本実施形態では、固定部材９５０の長さ（用紙Ｐの搬送方向における長さ）をＬ１（図２参照）とし、ユーザの手首から指先までの平均的な距離をＬ２（不図示）とした場合に、Ｌ１＞Ｌ２となるように、固定部材９５０の長さＬ１を設定している。
なお上記では、画像形成装置１の用紙積載部９７に対し覆い部材９００を設けた場合を一例に説明したが、覆い部材９００は、用紙Ｐに対して穴あけや綴じなどを行う処理装置の用紙積載部に設けることもできる。
【符号の説明】
【００３９】
１…画像形成装置、１０…画像形成部、７０…装置本体、９７…用紙積載部、５００…制御部、８５３…排出ロール、８５９…開口部、９００…覆い部材、９６１…検知スイッチ、９８０…ロック機構、９９０…表示パネル
【図１】
2012121716.tif 000003
【図２】
2012121716.tif 000004
【図３】
2012121716.tif 000005
【図４】
2012121716.tif 000006